【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
識別情報に基づいて、印刷機器の使用を管理する印刷管理システムであって、
入力された識別情報に基づいて認証処理を行なう印刷機器に関して、当該印刷機器の認証処理の機能を取得する機能取得手段と、
前記機能取得手段により取得された機能に基づいて、前記印刷機器の認証処理が、入力された識別情報を処理できるか否かを判定する判定手段と、
処理できないと前記判定手段により判定された場合、入力された識別情報のデータ形式を変換する変換手段とを有することを特徴とする印刷管理システム。
【請求項２】
処理できると前記判定手段により判定された場合、入力された認証情報を前記印刷機器に送信して認証処理の実行を要求し、処理できないと前記判定手段により判定された場合、前記変換手段によりデータ形式が変換された認証情報を前記印刷機器に送信して認証処理の実行を要求する認証要求手段と、
前記印刷機器が前記認証要求手段による要求に応じて送信した認証結果に基づいて、入力された認証情報と印刷データとを前記印刷機器に向けて発行する発行手段とを有することを特徴とする請求項１に記載の印刷管理システム。
【請求項３】
識別情報に基づいて、印刷機器の使用を管理する印刷管理システムであって、
入力された識別情報に基づいて認証処理を行なう印刷機器に関して、当該印刷機器の認証処理の機能を取得する機能取得手段と、
前記機能取得手段により取得された機能に基づいて、前記印刷機器の認証処理が、入力された識別情報を処理できるか否かを判定する判定手段と、
処理できないと前記判定手段により判定された場合、認証処理ができない旨のメッセージを表示部に表示する表示制御手段とを有することを特徴とする印刷管理システム。
【請求項４】
前記表示制御手段は、印刷の指示が入力されるのに応じて、識別情報を入力するための入力画面を表示し、処理できないと前記判定手段に判定された場合、前記入力画面を再表示することを特徴とする請求項３に記載の印刷管理システム。
【請求項５】
識別情報に基づいて、印刷機器の使用を管理する印刷管理方法であって、
入力された識別情報に基づいて認証処理を行なう印刷機器に関して、当該印刷機器の認証処理の機能を取得する機能取得ステップと、
前記機能取得ステップにより取得された機能に基づいて、前記印刷機器の認証処理が、入力された識別情報を処理できるか否かを判定する判定ステップと、
処理できないと前記判定ステップにより判定された場合、入力された識別情報のデータ形式を変換する変換ステップとを有することを特徴とする印刷管理方法。
【請求項６】
処理できると前記判定ステップにより判定された場合、入力された認証情報を前記印刷機器に送信して、認証処理の実行を要求する認証要求ステップと、
前記印刷機器が前記認証要求ステップによる要求に応じて送信した認証結果に基づいて、入力された認証情報と印刷データとを前記印刷機器に向けて発行する発行ステップとを有することを特徴とする請求項５に記載の印刷管理方法。
【請求項７】
処理できないと前記判定ステップにより判定された場合、前記変換ステップによりデータ形式が変換された認証情報を前記印刷機器に送信して、認証処理の実行を要求する認証要求ステップと、
前記印刷機器が前記認証要求ステップによる要求に応じて送信した認証結果に基づいて、入力された認証情報と印刷データとを前記印刷機器に向けて発行する発行ステップとを有することを特徴とする請求項５或いは６に記載の印刷管理方法。
【請求項８】
前記機能取得ステップは、前記印刷機器にカードリーダユニットがあるか否かを示す情報を取得することを特徴とする請求項５乃至７のいずれかに記載の印刷管理方法。
【請求項９】
処理できないと前記判定ステップにより判定された場合、入力された識別情報に第１形式のデータが含まれているか否かを判別する識別情報判別ステップと、
第１形式のデータが含まれていると前記識別情報判別ステップにより判別された場合、認証処理ができない旨を表示部に表示させるエラー表示制御ステップとを有し、
前記変換ステップは、第１形式のデータが含まれないと前記識別情報判別ステップにより判別された場合、入力された識別情報を第２形式のデータに変換することを特徴とする請求項５乃至８のいずれかに記載の印刷管理方法。
【請求項１０】
前記第１形式のデータは、文字列のデータであり、前記第２形式のデータは、数字のデータであることを特徴とする請求項９に記載の印刷管理方法。
【請求項１１】
識別情報に基づいて、印刷機器の使用を管理する印刷管理方法であって、
入力された識別情報に基づいて認証処理を行なう印刷機器に関して、当該印刷機器の認証処理の機能を取得する機能取得ステップと、
前記機能取得ステップにより取得された機能に基づいて、前記印刷機器の認証処理が、入力された識別情報を処理できるか否かを判定する判定ステップと、
処理できないと前記判定ステップにより判定された場合、認証処理ができない旨のメッセージを表示部に表示する表示制御ステップとを有することを特徴とする印刷管理方法。
【請求項１２】
前記表示制御ステップは、印刷の指示が入力されるのに応じて、識別情報を入力するための入力画面を表示し、処理できないと前記判定手段に判定された場合、前記入力画面を再表示することを特徴とする請求項１１に記載の印刷管理方法。
【請求項１３】
識別情報に基づいて印刷機器の使用を管理する印刷管理で使用されるプログラムであって、
入力された識別情報に基づいて認証処理を行なう印刷機器に関して、当該印刷機器の認証処理の機能を取得する機能取得ステップと、
前記機能取得ステップにより取得された機能に基づいて、前記印刷機器の認証処理が、入力された識別情報を処理できるか否かを判定する判定ステップと、
処理できないと前記判定ステップにより判定された場合、入力された識別情報のデータ形式を変換する変換ステップとをコンピュータに実行させることを特徴とするプログラム。
【請求項１４】
処理できると前記判定ステップにより判定された場合、入力された認証情報を前記印刷機器に送信して認証処理の実行を要求し、処理できないと前記判定ステップにより判定された場合、前記変換ステップによりデータ形式が変換された認証情報を前記印刷機器に送信して認証処理の実行を要求する認証要求ステップと、
前記印刷機器が前記認証要求ステップによる要求に応じて送信した認証結果に基づいて、入力された認証情報と印刷データとを前記印刷機器に向けて発行する発行ステップとをコンピュータに実行させることを特徴とする請求項１３に記載のプログラム。
【請求項１５】
識別情報に基づいて印刷機器の使用を管理する印刷管理で使用されるプログラムであって、
入力された識別情報に基づいて認証処理を行なう印刷機器に関して、当該印刷機器の認証処理の機能を取得する機能取得ステップと、
前記機能取得ステップにより取得された機能に基づいて、前記印刷機器の認証処理が、入力された識別情報を処理できるか否かを判定する判定ステップと、
処理できないと前記判定ステップにより判定された場合、認証処理ができない旨のメッセージを表示部に表示する表示制御ステップとをコンピュータに実行させることを特徴とするプログラム。
【請求項１６】
前記表示制御ステップは、印刷の指示が入力されるのに応じて、識別情報を入力するための入力画面を表示し、処理できないと前記判定手段に判定された場合、前記入力画面を再表示することを特徴とする請求項１５に記載のプログラム。
【請求項１７】
識別情報に基づいて機器の使用を管理するシステムにおける認証方法であって、
入力された識別情報に基づいて認証処理を行なう認証機器に関して、当該認証機器の認証処理の機能を取得し、
取得された機能に基づいて、前記認証機器の認証処理が、入力された識別情報を処理できるか否かを判定し、
処理できないと判定された場合、入力された識別情報のデータ形式を変換することを特徴とする認証方法。
【請求項１８】
識別情報に基づいて機器の使用を管理するシステムにおける認証方法であって、
入力された識別情報に基づいて認証処理を行なう認証機器に関して、当該認証機器の認証処理の機能を取得し、
取得された機能に基づいて、前記認証機器の認証処理が、入力された識別情報を処理できるか否かを判定し、
処理できないと判定された場合、認証処理ができない旨のメッセージを表示部に表示することを特徴とする認証方法。